(57)【要約】【課題】ユーザの負担を軽減して、リルート処理を円滑に行うことができる情報通信装置を提供する。【解決手段】ファクシミリ複合装置１において、ユーザが操作部１６から電話番号を入力すると、この電話番号に基づいてＮＣＵ１９による発信処理が行われる。この発信処理に基づく情報通信が失敗したときは、前記電話番号を利用してＥＮＵＭ装置３０に対して問い合わせを行い、通信プロトコルの種類と宛先情報とを含む通信態様情報が取得される。取得された宛先情報が電話番号の場合は、ＮＣＵ１９による再発信処理を行い、宛先情報がメールアドレス又はＩＰアドレスの場合は、ネットワーク通信部２０による再発信処理を行う。【選択図】図１
2008124920.tif 000002
【特許請求の範囲】
【請求項１】
公衆電話回線網を利用した通信を行う第１通信手段と、
インターネットを利用した通信を行う第２通信手段と、
電話番号で特定される着信者ごとに通信プロトコルの種類とその通信プロトコルにおける宛先情報とを含む通信態様情報が記憶されているＥＮＵＭ装置に対して電話番号を用いて問い合わせを行い、通信態様情報を取得する情報取得手段と、
指定された電話番号を前記第１通信手段に与えて発信処理を行い、この発信処理に基づく情報通信が失敗したときに、前記電話番号を前記情報取得手段に与えて通信態様情報を取得し、取得した通信態様情報に基づいて前記第１又は第２通信手段を制御して再発信処理を行う通信制御手段とを備えることを特徴とする情報通信装置。
【請求項２】
請求項１に記載の情報通信装置において、
前記通信制御手段は、複数の通信態様情報が取得されたときは、その複数の通信態様情報について予め登録された優先順位に基づき優先順位の上位のものから順番に、その宛先情報を用いて再発信処理を行うことを特徴とする情報通信装置。
【請求項３】
請求項１又は請求項２に記載の情報通信装置において、
前記宛先情報として、電話番号、メールアドレス又はＩＰアドレスが用いられることを特徴とする情報通信装置。
【請求項４】
電話番号で特定される着信者ごとに通信プロトコルの種類とその通信プロトコルにおける宛先情報とを含む通信態様情報が記憶されているＥＮＵＭ装置と、情報通信装置とを備えて構成される情報通信システムにおいて、
前記情報通信装置は、公衆電話回線網を利用した通信を行う第１通信手段と、
インターネットを利用した通信を行う第２通信手段と、
前記ＥＮＵＭ装置に対して電話番号を用いて問い合わせを行い、通信態様情報を取得する情報取得手段と、
指定された電話番号を前記第１通信手段に与えて発信処理を行い、この発信処理に基づく情報通信が失敗したときに、前記電話番号を前記情報取得手段に与えて通信態様情報を取得し、取得した通信態様情報に基づいて前記第１又は第２通信手段を制御して再発信処理を行う通信制御手段とを備えることを特徴とする情報通信システム。
【発明の詳細な説明】
【技術分野】
【０００１】
本発明は、公衆電話回線網を用いた通信やインターネットを用いた通信など複数種類の通信を行うことができる情報通信装置及びそれを用いた情報通信システムに関する。
【背景技術】
【０００２】
近年、インターネット等のネットワーク技術やネットワークを介して行う通信プロトコル、ネットワークに接続するコンピュータ機器等の普及に伴い、ネットワーク通信が広く利用されている。また、１つの装置で公衆電話回線網を用いた通信とインターネットを用いた通信とを可能とした通信装置も提供されている。
【０００３】
このような複数種類の通信が可能な通信装置では、例えば公衆電話回線網を用いた情報通信を行う場合は、電話番号を入力して送信先を指定することによって、その電話番号に対応付けられた送信先と情報通信を行うことができる。また、インターネットを用いた情報通信を行う場合は、メールアドレスやＩＰ（Internet Protocol）アドレスを入力して送信先を指定することによって、メールアドレス等に対応付けられた送信先と情報通信を行うことができる。
【０００４】
そして、上記のような通信装置では、いわゆるアドレス帳として通信相手毎に電話番号等の宛先情報を登録する際に、電話番号だけでなく、メールアドレスやＩＰアドレスなど複数種類の宛先情報を登録することができるように構成されている。
【０００５】
ところで、最近、ＥＮＵＭ（tElephone NUmber Mapping）と称される技術が提案されている。このＥＮＵＭ技術は、ＩＴＵ−Ｔ（国際電気通信連合）のＥ．１６４勧告に基づく電話番号をＥＮＵＭ形式のドメイン名に変換し、変換したドメイン名をＥＮＵＭ用のＤＮＳ（Domain Name System）に送信して問い合わせることによって、前記電話番号を使用している通信相手が利用可能な通信プロトコルの種類とその通信プロトコルに対応付けられたメールアドレス等の宛先情報とを、ＵＲＩ形式で取得できる技術である。
【０００６】
このＥＮＵＭ技術を利用すると、通信相手が使用している複数種類の宛先情報を容易に登録することができる。例えば、特許文献１には、通信相手の宛先情報をＥＮＵＭと連動して登録可能なアドレス登録機能を有する情報通信装置が開示されている。
【０００７】
特許文献１に開示されている情報通信装置は、通信相手の電話番号が入力されると、入力された電話番号をキーとしてＤＮＳサーバに問い合わせることによって、通信相手の電話番号に対応した少なくとも１つのＮＡＰＴＲリソースレコードを取得する。そして、情報通信装置は、取得したＮＡＰＴＲリソースレコードから通信手段及び宛先情報を抽出し、抽出した通信手段のうちの適合する通信手段を選択し、選択した通信手段と該通信手段に対応した宛先情報とを、アドレス帳に登録する（段落［００２６］参照）。
【０００８】
さらに、この情報通信装置では、登録された複数の通信手段に対して優先順位付けを行い、通信相手が選択されると、優先順位に従って通信手段を選択して、選択された通信手段に対応した宛先情報へ通信する（段落［００２７］、［００２８］参照）。これによって、優先順位の最も高い通信手段による通信ができなかった場合に、優先順位の低い通信手段による通信を行ういわゆるリルート処理を行うことができる。
【特許文献１】特開２００６−２００４８号公報
【発明の開示】
【発明が解決しようとする課題】
【０００９】
上述した従来の情報通信装置では、通信相手が使用する優先順位の低いメールアドレス等の宛先情報が変更になったときは、アドレス帳として登録されている登録内容を登録しなおす必要がある。宛先情報の変更は、通信相手からのその旨の連絡によって知るのが一般的である。したがって、通信相手から宛先情報を変更した旨の連絡があったときは、ユーザが情報通信装置を操作してアドレス帳の登録内容を変更する必要があり、手間がかかるという問題がある。
【００１０】
また、通信相手からの連絡がなかったり、ユーザが変更操作をするのを忘れたりすると、アドレス帳の登録内容が古いままとなり、リルート処理が正常に行えなくなるという不都合が生じる。
【００１１】
そこで、本発明の解決すべき課題は、ユーザの負担を軽減して、リルート処理を円滑に行うことができる情報通信装置を提供することである。
【課題を解決するための手段】
【００１２】
上記の課題を解決するため、請求項１の発明では、公衆電話回線網を利用した通信を行う第１通信手段と、インターネットを利用した通信を行う第２通信手段と、電話番号で特定される着信者ごとに通信プロトコルの種類とその通信プロトコルにおける宛先情報とを含む通信態様情報が記憶されているＥＮＵＭ装置に対して電話番号を用いて問い合わせを行い、通信態様情報を取得する情報取得手段と、指定された電話番号を前記第１通信手段に与えて発信処理を行い、この発信処理に基づく情報通信が失敗したときに、前記電話番号を前記情報取得手段に与えて通信態様情報を取得し、取得した通信態様情報に基づいて前記第１又は第２通信手段を制御して再発信処理を行う通信制御手段とを備える。
【００１３】
また、請求項２の発明では、請求項１に記載の情報通信装置において、前記通信制御手段は、複数の通信態様情報が取得されたときは、その複数の通信態様情報について予め登録された優先順位に基づき優先順位の上位のものから順番に、その宛先情報を用いて再発信処理を行う。
【００１４】
また、請求項３の発明では、請求項１又は請求項２に記載の情報通信装置において、前記宛先情報として、電話番号、メールアドレス又はＩＰアドレスが用いられる。
【００１５】
また、請求項４の発明では、電話番号で特定される着信者ごとに通信プロトコルの種類とその通信プロトコルにおける宛先情報とを含む通信態様情報が記憶されているＥＮＵＭ装置と、情報通信装置とを備えて構成される情報通信システムにおいて、前記情報通信装置は、公衆電話回線網を利用した通信を行う第１通信手段と、インターネットを利用した通信を行う第２通信手段と、前記ＥＮＵＭ装置に対して電話番号を用いて問い合わせを行い、通信態様情報を取得する情報取得手段と、指定された電話番号を前記第１通信手段に与えて発信処理を行い、この発信処理に基づく情報通信が失敗したときに、前記電話番号を前記情報取得手段に与えて通信態様情報を取得し、取得した通信態様情報に基づいて前記第１又は第２通信手段を制御して再発信処理を行う通信制御手段とを備える。
【発明の効果】
【００１６】
請求項１ないし請求項４に記載の発明によれば、電話番号に基づいて発信処理を行い、この発信処理に基づく情報通信が失敗したときは、前記電話番号で指定される着信者がＥＮＵＭ装置に記憶させている通信態様情報（通信プロトコルの種類と宛先情報とを含む）が取得され、取得した通信態様情報に基づいて再発信処理が行われる。したがって、従来技術のように通信相手ごとに複数種類の宛先情報を予め登録する必要がなくなるので、ユーザの負担が軽減される。また、ＥＮＵＭ装置の通信態様情報は、着信者によって最新の情報に更新されているので、古い宛先情報に基づいて再発信処理が行われることが防止され、いわゆるリルート処理を円滑に行うことができる。
【００１７】
請求項２に記載の発明によれば、ＥＮＵＭ装置から複数の通信態様情報が取得されたときは、予め設定された優先順位に基づき、優先順位の上位のものから順番に宛先情報を用いて再発信処理が行われる。したがって、情報通信が成功しやすい順番で優先順位を付けておけば、リルート処理を円滑に行うことができる。
【発明を実施するための最良の形態】
【００１８】
図１は、本発明の一実施形態に係る情報通信装置としてのファクシミリ複合装置１の構成を示すブロック図である。ファクシミリ複合装置１は、ネットワーク２１を介して後述するＥＮＵＭ装置３０と接続されて、情報通信システムを構成している。
【００１９】
ファクシミリ複合装置１の機能には、プリンタ機能、ファクシミリ機能、インターネットファクシミリ機能、コピー機能、及びスキャナ機能等が含まれている。このファクシミリ複合装置１は、ネットワーク（例えばＬＡＮ）２１を介してパーソナルコンピュータなどの複数の外部処理装置（図示せず）と接続され、外部処理装置からの指示によっても、上記の各機能を実行することが可能である。
【００２０】
ファクシミリ複合装置１は、図１に示すように、制御部１１と、該制御部１１にバス１２を介して接続されたプリンタ１３、スキャナ１４、表示部１５、入力手段としての操作部１６、記憶部１７、モデム１８、ＮＣＵ（Network Control Unit）１９、及びネットワーク通信部２０を備えている。ＮＣＵ１９が第１通信手段に相当し、ネットワーク通信部２０が第２通信手段及び情報取得手段に相当する。
【００２１】
制御部１１は、このファクシミリ複合装置１の制御を統括するものであり、ＣＰＵ等を備えて構成されている。この制御部１１には、機能要素として、通信制御手段としての通信制御部１１ａが備えられている。通信制御部１１ａの役割等は、後述する。
【００２２】
プリンタ１３は、例えば電子写真方式のプリンタ装置であり、外部処理装置から与えられた印刷データ、スキャナ１４によって読み取られた画像データ、ファクシミリ受信した画像データ等を記録紙等に印刷する。スキャナ１４は、原稿の読み取りを行うものであり、ファクシミリ送信時の原稿の読み取りや、コピー機能及びスキャナ機能使用時の原稿の読み取り等に用いられる。
【００２３】
表示部１５は、液晶表示装置等によって構成され、このファクシミリ複合装置１の操作情報等の表示に用いられる。操作部１６は、複数の操作ボタンやタッチパネル等によって構成され、このファクシミリ複合装置１の操作に用いられる。
【００２４】
記憶部１７は、ＲＯＭ、ＲＡＭ等の記憶装置を備えて構成されている。ＲＯＭには、制御部１１が実行する制御プログラム等が記憶されている。ＲＡＭには、外部処理装置から送信された印刷データ、ファクシミリ機能使用時にＮＣＵ１９を介して送受信されたファクシミリの送受信画像データ、コピー機能やスキャナ機能使用時に読み取られた画像データ、及びファクシミリ複合装置１の設定や保守管理等に関するデータ等が含まれている。またＲＡＭには、後述するアドレス帳として送信先指定情報（電話番号）が記憶される。
【００２５】
モデム１８は、ファクシミリ通信が可能なファクシミリモデムから構成されている。また、モデム１８は、ＮＣＵ１９と直接接続されている。ＮＣＵ１９は、アナログの公衆電話回線網（ＰＳＴＮ）２２との回線の閉結及び開放の動作を行うハードウェアであり、必要に応じてモデム１８を公衆電話回線網２２と接続する。なお、ＩＳＤＮ用インターフェースを備えることによって、デジタル回線網（ＩＳＤＮ）に接続するようにしてもよい。
【００２６】
ネットワーク通信部２０は、ＬＡＮ（Local Area Network）及びインターネット等の通信回線としてのネットワーク２１を介したデータ通信を担っている。より詳細には、ネットワーク通信部２０は、ＣＰＵ２０ａと、該ＣＰＵ２０ａにバスを介して接続されたメモリ２０ｂ、通信インターフェース（Ｉ／Ｆ）２０ｃ及びインターフェース（Ｉ／Ｆ）２０ｄとを備えている。
【００２７】
ＣＰＵ２０ａは、ネットワーク通信部２０の制御を統括するものである。メモリ２０ｂは、ＲＯＭ、ＲＡＭ等の記憶装置を備えて構成されている。ＲＯＭには、ＣＰＵ２０ａが実行する制御プログラム等が記憶されている。ＲＡＭには、ネットワーク通信部２０の動作設定に関する設定データ等が記憶されている。
【００２８】
通信インターフェース２０ｃは、ネットワーク通信部２０をネットワーク２１に接続するためのインターフェースであり、ＳＭＴＰ（Simple Mail Transfer Protocol）、ＰＯＰ（Post Office Protocol）、ＳＭＢ（Server Message Block）、ＨＴＴＰ（Hyper Text Transfer Protocol）等を取り扱うための機能が備えられている。通信インターフェース２０ｃの具体的な機能としては、電子メールの送受、電子メールに画像データを添付して送受するインターネットファクシミリの送受、及び、ＬＡＮ又はインターネットを介したデータの送受等が含まれている。なお、制御部１１による処理動作とネットワーク通信部２０の処理操作との連携は、インターフェース（Ｉ／Ｆ）２０ｄを介して行われるようになっている。
【００２９】
また、ＥＮＵＭ装置３０は、ネットワーク（インターネット）２１に接続されるＥＮＵＭ用ＤＮＳ３１を備えて構成される。ＥＮＵＭとは、ＩＴＵ−ＴのＥ．１６４勧告に基づく電話番号をキーとしてＥＮＵＭ用ＤＮＳ３１に登録されたＮＡＰＴＲ（Naming Authority Pointer）―ＲＲ（Resource Record）を検索し、Ｅ．１６４勧告に基づく電話番号に対応する１つ又は複数のアプリケーションをＵＲＩ（Uniform Resource Identifiers）形式で得る技術である。ＮＡＰＴＲ−ＲＲは、電話番号に基づくドメイン名に対応付けられた情報、例えば通信プロトコルの種類や宛先情報等を記録したものである。
【００３０】
なお、ＥＮＵＭは、現在、ＥＮＵＭ使用の検討及び標準化がＩＥＴＦ（Internet Engineering Task Force）のＥＮＵＭワーキンググループを中心に進められており、本発明で適用されるＥＮＵＭは、ＩＥＴＦのＥＮＵＭの仕様に準拠するものである。
【００３１】
本実施形態は、ユーザの負担を軽減して、リルート処理を円滑に行うことを主眼とするものである。例えば、図１に示すように通信相手の端末装置４０が公衆電話回線網２２及びネットワーク２１に接続されており、電話番号だけでなく、メールアドレスやＩＰアドレスによっても通信が可能である場合に、電話番号による通信が失敗したときに別の宛先情報を用いて再発信処理を行うリルート処理を円滑に行うことを主眼とするものである。
【００３２】
図２は、通信処理時の処理動作を示すフローチャートである。この処理は、ユーザが操作部１６を操作して通信相手を指定する電話番号を入力することによって開始される。
【００３３】
ステップＳ１では、通信制御部１１ａは、操作部１６等を介した操作により、入力された電話番号を記憶部１７内の電話帳データに記憶させると共に、電話番号をＮＣＵ１９に与える（あるいは、操作部１６等のを介した操作により、記憶部１７に記憶された電話帳データ内の指定された電話番号をＮＣＵ１９に与える）。ステップＳ２では、ＮＣＵ１９は、与えられた電話番号に基づいて発信処理を行う。
【００３４】
ステップＳ３では、通信制御部１１ａは、通信が成功したか否かを判断する。通信が成功したと判断した場合、即ち相手先が着信し、情報通信が完了した場合は、処理を終了する。一方、通信が成功しなかったと判断した場合、例えば相手先が着信しない場合や通信エラー等によって情報通信が中断した場合は、ステップＳ４に進む。
【００３５】
ステップＳ４では、通信制御部１１ａは、ネットワーク通信部２０を制御してＥＮＵＭ装置３０への問合わせを行う。即ち、通信制御部１１ａは、電話番号をネットワーク通信部２０に与える。ネットワーク通信部２０のＣＰＵ２０ａは、入力された電話番号をＥＮＵＭ形式のドメイン名に変換する。
【００３６】
電話番号のドメイン名への変換方法は、例えば電話番号が「０６−１２３４−５７８」であるとすると、日本の市外局番から始まる電話番号に基づき、先頭の「０」を削除し、Ｅ．１６４番号規定に基づいて、日本国の国コード「８１」を付加して数字以外の記号を除いて数字間にドット「．」を付加した「８．１．６．１．２．３．４．５．６．７．８」に変換し、さらに数字を逆順にして末尾に文字列「．ｅ１６４．ａｒｐａ」を付加した「８．７．６．５．４．３．２．１．６．１．８．ｅ１６４．ａｒｐａ」という文字列のドメイン名に変換する。
【００３７】
変換されたドメイン名は、通信インターフェース２０ｃを介してネットワーク（インターネット）２１に接続されたＥＮＵＭ装置３０のＥＮＵＭ用ＤＮＳ３１に送信される。ＥＮＵＭ用ＤＮＳ３１は、受信したドメイン名に対応したＮＡＰＴＲ−ＰＲ情報をファクシミリ複合装置１に返信する。ＮＡＰＴＲ−ＰＲ情報は、具体的には、電話番号に対応する通信相手の端末装置４０が利用可能な通信プロトコルの種別やその通信プロトコルに対応した宛先情報などである。
【００３８】
ステップＳ５では、ネットワーク通信部２０のＣＰＵ２０ａは、ＥＮＵＭ装置３０から返信されたＮＡＰＴＲ−ＰＲ情報に基づいて、通信相手の端末装置４０が利用可能な通信プロトコルの種類とその通信プロトコルにおける宛先情報とを含む通信態様情報をＵＲＩ形式で取り出し、記憶部１７に記憶されている通信相手の電話番号に対応付けて記憶させる。このとき、ＣＰＵ２０ａは、宛先情報に対して予め設定された優先順位に基づいて優先順位を付けて記憶させる。
【００３９】
本実施形態では、例えば、電話番号、メールアドレス、ＩＰアドレス、その他の宛先情報の順番で優先順位が付けられる。また、同じ種類の宛先情報が複数個ある場合は、予め定める規則に従って順位を決定する。予め定める規則とは、例えば、数字の大小やアルファベット順である。
【００４０】
ステップＳ６では、通信制御部１１ａは、記憶部１７に記憶されている通信態様情報の中から優先順位が最上位の宛先情報を含む通信態様情報を読み出して再発信処理を行う。宛先情報が電話番号の場合は、電話番号がＮＣＵ１９に与えられて再発信処理を行われる。宛先情報がメールアドレス又はＩＰアドレスの場合は、メールアドレス又はＵＰアドレスがネットワーク通信部２０に与えられて再発信処理が行われる。
【００４１】
ステップＳ７では、通信制御部１１ａは、通信が成功したか否かを判断する。通信が成功したと判断した場合は、処理を終了する。一方、通信が成功しなかったと判断した場合は、ステップＳ８に進む。
【００４２】
ステップＳ８では、通信制御部１１ａは、記憶部１７に優先順位が低い宛先情報が記憶されているか否かを判断する。優先順位が低い宛先情報が記憶されていると判断したときは、ステップＳ９に進む。ステップＳ９では、通信制御部１１ａは、優先順位が低い宛先情報を含む通信態様情報を記憶部１７から読み出して再発信処理を行い、その後ステップＳ７に戻る。つまり、優先順位が上位の宛先情報で通信が成功しなければ、下位の宛先情報に切り換えて再発信処理が行われることになる。
【００４３】
また、ステップＳ８において、記憶部１７に優先順位が低い宛先情報が記憶されていないと判断した場合は、ステップＳ１０に進み、通信制御部１１ａは、通信が失敗した旨を表示部１５に表示して処理を終了する。
【００４４】
このように、電話番号に基づいて発信処理を行い、この発信処理に基づく情報通信が失敗したときは、前記電話番号で指定される着信者がＥＮＵＭ装置３０に記憶させている通信態様情報（通信プロトコルの種類と宛先情報とを含む）が取得され、取得した通信態様情報に基づいて再発信処理が行われる。したがって、従来技術のように通信相手ごとに複数種類の宛先情報を予め登録する必要がなくなるので、ユーザの負担が軽減される。また、ＥＮＵＭ装置３０の通信態様情報は、着信者によって最新の情報に更新されているので、古い宛先情報に基づいて再発信処理が行われることが防止され、いわゆるリルート処理を円滑に行うことができる。
【００４５】
また、ＥＮＵＭ装置３０から複数の通信態様情報が取得されたときは、予め設定された優先順位に基づいて優先順位が付けられ、優先順位の上位のものから順番に宛先情報を用いて再発信処理が行われる。したがって、情報通信が成功しやすい順番で優先順位を付けておけば、リルート処理を円滑に行うことができる。
【００４６】
なお、ファクシミリ複合装置１によるファクシミリ送信後に、送信画像を所定のアーカイブ先に送信する場合に、本発明を適用するようにしてもよい。
【図面の簡単な説明】
【００４７】
【図１】本発明の一実施形態に係る情報通信装置としてのファクシミリ複合装置のブロック図である。
【図２】通信処理時の処理動作を示すフローチャートである。
【符号の説明】
【００４８】
１  ファクシミリ複合装置
１１  制御部
１１ａ  通信制御部
１６  操作部
１９  ＮＣＵ
２０  ネットワーク通信部
２０ａ  ＣＰＵ
２０ｃ  通信インターフェース（Ｉ／Ｆ）
２１  ネットワーク
２２  公衆電話回線網
３０  ＥＮＵＭ装置
３１  ＥＮＵＭ用ＤＮＳ
【図１】
2008124920.tif 000003
【図２】
2008124920.tif 000004